(57)【要約】  眼科手術用の灌流圧制御システムは、眼圧検出手段と、動脈圧検出手段と、前記眼圧検出手段と前記動脈圧検出手段とに動作可能に接続され、前記眼圧検出手段および前記動脈圧検出手段により提供される眼圧および動脈圧に基づいて平均眼灌流圧値を計算し、計算された前記平均眼灌流圧値と少なくとも１つの所定の閾値とを比較するよう構成された制御ユニットと、を備える。
2020527443.tif 000002
【特許請求の範囲】
【請求項１】
眼科手術用注入圧制御システムであって、
眼圧検出手段と、
動脈圧検出手段と、
前記眼圧検出手段と前記動脈圧検出手段と動作可能に接続され、前記眼圧検出手段と前記動脈圧検出手段とにより提供される眼圧と動脈圧とに基づいて平均眼灌流圧値を計算し、計算された前記平均眼灌流圧値と少なくとも１つの所定の閾値とを比較するよう構成される制御ユニットと、
を備える、
システム。
【請求項２】
前記制御ユニットは、計算された前記平均眼灌流圧値が前記所定の閾値を下回る場合に、アラーム信号を生成するよう構成される、
請求項１に記載のシステム。
【請求項３】
注入圧で注入液を投与するのに適する注入ラインを少なくとも用いて患者に接続されるよう適合される医療用電気機器を含み、前記医療用電気機器は、前記注入圧を調整可能に適合される、
請求項１または２に記載のシステム。
【請求項４】
前記眼圧検出手段は、眼圧センサを含む、
請求項１ないし３のいずれか１項に記載のシステム。
【請求項５】
前記眼圧検出手段は、注入液の圧力値、および任意に注入液の流量に基づいて眼圧値を計算するのに適する、
請求項１ないし４のいずれか１項に記載のシステム。
【請求項６】
前記医療用電気機器は、水晶体乳化装置、または水晶体硝子体切除装置である、
請求項３ないし５のいずれか１項に記載のシステム。
【請求項７】
前記注入ラインは、重力注入システム、または注入液を含む容器を加圧することによる強制注入システムを含む、
請求項３ないし６のいずれか１項に記載のシステム。
【請求項８】
前記動脈圧検出手段は、患者に接続されるのに適する圧力計を含む、
請求項１ないし７のいずれか１項に記載のシステム。
【請求項９】
前記動脈圧検出手段は、無線通信システムを介して前記制御ユニットに接続されている、
請求項１ないし８のいずれか１項に記載のシステム。
【請求項１０】
前記制御ユニットは、計算された前記平均眼灌流圧の値が前記所定の閾値を下回る場合に、前記注入圧を低下させるよう前記注入ラインを操作するよう構成される、
請求項３ないし９のいずれか１項に記載のシステム。
【請求項１１】
前記医療用電気機器は、前記注入圧の手動調整が可能な操作インタフェースとともに提供される、
請求項３ないし９のいずれか１項に記載のシステム。
【請求項１２】
前記平均眼灌流圧値は、継続的に、または所定の時間間隔で計算される、
請求項１ないし１１のいずれか１項に記載のシステム。
【請求項１３】
前記平均眼灌流圧（ＭＯＰＰ）値は、
ＭＯＰＰ＝１１５／１３０ＭＡＰ−ＩＯＰの式を用いて、
または、ＭＯＰＰ＝２／３ＭＡＰ−ＩＯＰの式を用いて、計算され、
ＭＡＰは例えば、ＭＡＰ＝１／３ＳＢＰ＋２／３ＤＢＰの式に従って計算される平均動脈圧を示し、
ＩＯＰは、眼圧を意味する、
請求項１ないし１２のいずれか１項に記載のシステム。
【請求項１４】
前記制御ユニットは、アラームに動作可能にリンクされるタイマーを含み、前記タイマーは、計算された前記平均眼灌流圧の値と少なくとも１つの所定の閾値との比較に基づいて増加可能および減少可能であり、前記アラームは、前記タイマーが所定のタイマー閾値を超えた場合に作動する、
請求項１ないし１３のいずれか１項に記載のシステム。
【請求項１５】
処理ユニットは、計算された前記平均眼灌流圧の平均圧力値が前記所定の閾値を下回る場合に、アラームメッセージまたは音響信号を生成することが可能なインジケータを表示するのに適するグラフィックインタフェースを含む、または、動作可能にリンクされる、
請求項１ないし１４のいずれか１項に記載のシステム。
【請求項１６】
前記制御ユニットはオペレータからの承諾命令を受信するのに適するユーザインタフェースを含み、または動作可能に接続され、前記承諾命令は注入圧調整を可能にするのに適する、
請求項１ないし１５のいずれか１項に記載のシステム。
【請求項１７】
前記注入圧が、前記注入液を含む容器の高さを変えることにより調整可能である、
請求項３ないし１６のいずれか１項に記載のシステム。
【請求項１８】
前記注入圧が、前記注入液の上流で使用中の制御された過圧を変えることにより調整可能である、
請求項３ないし１６のいずれか１項に記載のシステム。
【発明の詳細な説明】
【技術分野】
【０００１】
本発明は、眼科手術における眼内注入圧（ｉｎｆｕｓｉｏｎ  ｐｒｅｓｓｕｒｅ）を制御するシステムおよび方法に関する。
【背景技術】
【０００２】
周知のように、眼科手術中、眼球の洗浄に対して注入液が使用される。
【０００３】
本発明は、眼科手術中に直接的または間接的に測定される平均眼灌流圧（ｏｃｕｌａｒ  ｐｅｒｆｕｓｉｏｎ  ｐｒｅｓｓｕｒｅ）を全身動脈圧および眼圧の関数として評価することにより、網膜微小循環の遮断、およびその結果として起こる患者の視器官の損傷および合併症を防ぐために、注入圧に介入することができるシステムに関する。
【０００４】
周知のように、血圧（ＢＰ）とも呼ばれる全身血圧は、拡張期血圧（ＤＢＰ）および収縮期血圧（ＳＢＰ）に区別されることがある。
【０００５】
眼圧（ＩＯＰ）は、患者の眼に接続された測定システムを通じて経時的に検出可能である、または、眼科手術中に注入圧に基づいて推定される。
【０００６】
平均眼灌流圧（ｍｅａｎ  ｏｃｕｌａｒ  ｐｅｒｆｕｓｉｏｎ  ｐｒｅｓｓｕｒｅ:ＭＯＰＰ）は、上述の圧力の値を組み合わせることにより、経時的に計算される。
【０００７】
注入圧（ＩＰ）は、外科医により手術中に設定される。
【０００８】
手術中に患者のＭＯＰＰを決定することにより、確実に視器官機能を保障する安全レベルを維持するために、注入圧、ひいては眼圧の同時調整を実施することができる。
【０００９】
また、安全な灌流圧値の範囲を外科医に視覚的に示すことができ、視覚機能に対する損傷が生じる前に、注入圧が過度に長い間その範囲外にある場合にアラームを発することができる。
【００１０】
現在、血圧は患者の腕に接続された圧力計により測定される。より具体的には、手術中、患者の拡張期血圧（ＤＢＰ）および収縮期血圧（ＳＢＰ）の値が特定の頻度で検出および取得される。しかし、この測定の唯一の目標は、外科診療の目的で全身血圧を監視することである。
【００１１】
「滴下注入」として知られるモードにおいて、現在、注入圧は注入液を含む容器の高さに従って外科医により設定される。所望の注入圧値を設定することができる、いわゆる「強制注入」システムもまた知られている。
【００１２】
現在の最先端の眼科手術装置は、注入圧が、外科医により設定され、１分より長い間、または任意の事例において、所定の時間よりも長い間、統計的検討に基づいて決定されすべての患者に対して等しい閾値を超えて維持される場合、アラーム信号を発する。
【００１３】
しかし、この種の制御は、手術中の患者の実際の全身動脈圧、特に具体的にはＭＯＰＰを考慮せず、注入圧が網膜微小循環を遅らせるまたは阻止するレベルに達し、視覚系に恒久的な損傷を引き起こす可能性を排除するものではない。
【００１４】
これに関して、図１のグラフは、異なる血圧値を有する被験者に関連するＩＯＰの関数として、いくつかのＭＯＰＰ曲線を示す。
【００１５】
灰色の帯は、理想的なＭＯＰＰ値の帯域を示す。実際のＭＯＰＰが帯域を下回る場合、網膜の血液微小循環が減少し、その状態が経時的に続く場合、視覚機能が恒久的に損傷される可能性がある。
【００１６】
ＩＰＯの所与の値（グラフでは約４２ｍｍＨｇに等しい）に対して、ＭＯＰＰは灰色の帯により示される理想的な値（３５÷５５ｍｍＨｇ）の範囲外にあることが明らかである。唯一の例外は、制限はあるが、１８０／１００の血圧におけるＭＯＰＰ曲線である。
【００１７】
ほぼすべての場合、網膜微小循環において起こり得る苦痛の状態は、視器官機能の起こり得る機能障害により詳細に説明される。
【００１８】
３０ｍｍＨｇ程度の低いＩＯＰでさえ、多くの患者にとって「安全」であるが、ＭＯＰＰ値の高さが不十分である患者の網膜微小循環を減少することにより損傷を引き起こす可能性があることも明らかである。
【００１９】
一方、図２のグラフは、手術中の３５ｍｍＨｇを超えるＩＯＰ値が一般的であることを示す。特に、ＭＯＰＰ、ＩＯＰ、ＩＰ、およびＭＡＰの傾向は、同時に行う水晶体超音波乳化吸引術、硝子体切除術（ＰＰＶ）、および最終的な空気／平衡塩溶液交換を伴うパッカー手術の間の時間関数として報告される。
【００２０】
治療介入期間の半分以上（３２分中１８分）の間、ＭＯＰＰはＩＯＰおよび３０ｍｍＨｇを下回っており、理想的な最小制限を大幅に下回っていることがわかる。
【００２１】
上述の検討結果により、現在の眼科手術装置に採用されるシステムは、すべての患者に等しい統計的考慮事項に基づく最大ＩＰに対するアラーム閾値を設定するため、血圧が低い、ひいてはＭＯＰＰが低い患者の視覚障害の残存リスクを含むことが明らかである。
【００２２】
本発明の目的は、従って、網膜循環の閉塞、およびそれに伴う患者の視器官の損傷を防ぐために、個別の患者に特有の注入圧、ひいてはＩＯＰの制御を実行することができるシステムを提供することである。
【００２３】
このような目的は、請求項１に記載の注入圧制御システムにより達成される。
【００２４】
従属する請求項は、本発明の好ましい実施の形態を記載する。
【００２５】
請求項１によると、注入圧制御システムは、眼圧検出手段と、動脈圧検出手段と、前記眼圧検出手段および前記血圧検出手段に動作可能に接続された制御ユニットと、を含む。
【００２６】
制御ユニットは、眼圧検出手段および動脈圧検出手段により提供される眼圧および動脈圧の値に基づく平均眼灌流圧値を計算し、計算された平均眼灌流圧値と少なくとも１つの所定の閾値とを比較するよう構成される。
【００２７】
一実施の形態において、制御ユニットは、計算された平均眼灌流圧値が所定の閾値を下回る場合にアラーム信号を生成するよう構成される。
【００２８】
本発明の一態様によると、制御システムは、ある注入圧で注入液を投与するのに適する注入ラインを少なくとも用いて、患者に接続するのに適合された医療用電気機器を含む。その医療用電気機器は、注入圧の調整をするのに適している。
【００２９】
一実施の形態において、制御ユニットは、医療用電気機器に組み込まれている。
【００３０】
例えば、医療用電気機器は、水晶体乳化装置、または水晶体硝子体切除装置（ｐｈａｃｏｖｉｔｒｅｃｔｏｍｅｒ）である。
【００３１】
一実施の形態において、眼圧検出手段は眼圧センサを含む。
【００３２】
一実施の形態において、眼圧検出手段は注入液の注入圧値に基づいて眼圧値を計算するのに適している。
【００３３】
一実施の形態において、注入ラインは、重力注入システム、または注入液を含む容器を加圧することによる強制注入システムを含む。
【００３４】
一実施の形態において、動脈圧を検出する手段は、患者に接続するのに適する圧力計を含む。
【００３５】
一実施の形態において、動脈圧を検出する手段は、無線通信システムを介して制御ユニットに接続される。
【００３６】
一実施の形態において、制御ユニットは、計算された平均眼灌流圧の値が所定の閾値を下回る場合に、注入ラインを操作して注入圧を低下させるよう構成される。
【００３７】
一実施の形態において、医療用電気機器は、注入圧の手動調整が可能な操作インタフェースを備える。
【００３８】
一実施の形態において、平均眼灌流圧値は、継続的にまたは所定の時間間隔で計算される。
【００３９】
一実施の形態において、平均眼灌流圧（ＭＯＰＰ）値は、
ＭＯＰＰ＝１１５／１３０ＭＡＰ−ＩＯＰ、
の式を使用して、または、
ＭＯＰＰ＝２／３ＭＡＰ−ＩＯＰ、
の式を使用して計算され、
ＭＡＰは、例えば、ＭＡＰ＝１／３ＳＢＰ＋２／３ＤＢＰの式に従って計算される平均動脈圧を示し、ＩＯＰは眼圧を意味する。
【００４０】
眼科手術中、ＩＯＰは手術中に継続的に眼に導入される生理食塩水の圧力により決定される。
【００４１】
本発明の態様によると、制御ユニットは、アラームに動作可能に接続されるタイマーを含む。タイマーは、計算された平均眼灌流圧の値と少なくとも１つの所定の閾値との間の比較に基づいて増減することができる。タイマーが予め設定されたタイマー閾値を超えると、アラームが作動する。
【００４２】
一実施の形態において、制御ユニットは、計算された平均眼灌流圧の平均圧力値が所定の閾値よりも低い場合、アラームメッセージまたは音響信号を生成することができるインジケータを表示するのに適するグラフィックインタフェースを含む、または動作可能にリンクされる。
【００４３】
本発明の態様によると、制御ユニットは、オペレータからの承諾命令を受信するのに適するユーザインタフェースを含む、または動作可能に接続される。承諾命令は、注入圧調整を可能にするのに適する。
【００４４】
一実施の形態において、注入圧は、注入液を含む容器の高さを変化させることにより調整可能である。
【００４５】
一実施の形態において、注入圧は、注入液の上流で使用中の制御された過圧を変化させることにより調整可能である。
【００４６】
注入圧を調整する方法もまた本発明の目的であり、
眼圧を検出する工程と、
血圧を検出する工程と、
測定された眼圧と血圧とに基づいて平均眼灌流圧値を計算する工程と、
計算された平均眼灌流圧値と少なくとも１つの所定の閾値との比較を実行する工程と、
を含む。
【００４７】
本発明の態様によると、制御方法は、計算された平均眼灌流圧が所定の閾値を下回る場合にアラーム信号を生成する。
【００４８】
一実施の形態において、制御方法は、計算された平均眼灌流圧の値が所定の閾値を下回る場合に、医療用電気機器の注入ラインを操作して注入圧を低下させる。
【００４９】
本発明の態様によると、制御方法は、計算された平均眼灌流圧値と所定の閾値との比較に基づいて、アラームに動作可能に接続されたタイマーを増減させ、タイマーが予め設定されたタイマー閾値を超える場合にアラームを作動させる。
【００５０】
一実施の形態では、制御方法は、計算された平均眼灌流圧値が予め設定された閾値よりも低い場合に、グラフィカルインタフェースにアラームメッセージを表示する、または音響信号機を用いて音響信号を生成する。
【００５１】
従って、本発明の特定の目的は、少なくとも流体注入ラインにより患者の眼に接続される医療用電気機器を含み、好ましくは、流体の注入圧の調整、および／または適切な測定手段を用いて患者から検出された血圧値と、検出または計算されたＩＯＰ値と、に基づく注入圧に対するアラーム閾値の構築が可能であり、その結果ＭＯＰＰを安全な閾値より高い状態に維持することができる眼科手術システムである。
【００５２】
好ましい実施において、本発明は、水晶体超音波乳化吸引術および／または硝子体切除術用の医療用電気機器において実施される。
【００５３】
この機器は、好ましくは、制御ソフトウェアおよび／またはファームウェアと、アラームシステムを含むユーザインタフェースとともに提供される。
【００５４】
さらに、この機器は、流体自体を含む容器の高さを変えることにより、および／または容器を加圧することにより、眼球への注入に使用される流体の圧力を変化させることができるシステムを含んでもよい。
【００５５】
灌流流体は、液体、例えば生理食塩水、または、ガス、例えば無菌空気であってもよい。
【００５６】
さらに、本発明の機器の目的は、患者の収縮期血圧（ＳＢＰ）と拡張期血圧（ＤＢＰ）とを検出することができる装置に接続されることである。その接続は、有線であっても無線であってもよい。
【００５７】
本発明にかかる機器は、患者の眼圧測定システム（ＩＯＰ）とともに提供されてもよい。または、注入圧、接続パイプのインピーダンス、および灌流量に従ってこの圧力を計算してもよい。
【００５８】
本発明による注入圧制御システムおよび方法の特徴および利点は、添付の図面を参照して、単に非限定的な例として提供される好ましい実施の形態の以下の説明から容易に明らかになるであろう。
【図面の簡単な説明】
【００５９】
【図１】異なる血圧値を有する被験者に対するＩＯＰの関数としてのいくつかのＭＯＰＰ曲線を示すグラフである。
【図２】眼科手術中のいくつかの特徴的な圧力の傾向を示すグラフである。
【図３】本発明にかかる注入圧制御システムの概略図である。
【図４】本発明にかかる注入圧調整ロジックの一例を示すフローチャートである。
【図５】注入圧の表示と調整のためのグラフィカルユーザインタフェースの一例を示す図である。
【００６０】
図３を参照すると、参照符号１は、血圧計４が接続された患者を図示する。
【００６１】
血圧データは、医療用電気機器７に送信される。
【００６２】
眼圧計５は、眼圧（ＩＯＰ）の直接検出を可能にする。眼圧データは、医療用電気機器７に送信される。
【００６３】
調整ロジックにより予測された条件が満たされる場合、医療用電気機器７の制御ユニットは、例えば、外科医による許可を受信した後に、圧力制御手段６に指示する。これらの圧力制御手段６は、注入ライン３に介入し、ＭＯＰＰの値が安全な制限値に戻るまで、容器２に含まれる注入液の圧力を変化させる。
【００６４】
図４は、注入圧調整方法のフローチャートを示す。
【００６５】
最初に、眼圧（ＩＯＰ）が測定される（ステップ１０）。灌流流体を含む容器２の位置がわかると眼圧を決定することができる。または、患者の眼に接続された圧力センサにより眼圧を測定することができる。
【００６６】
続いて、血圧（ＢＰ）が測定される（ステップ１２）。
【００６７】
ＩＯＰおよびＢＰの圧力値を組み合わせることにより、システムはＭＯＰＰを計算し、それをユーザインタフェースを介して外科医に提供する（ステップ１４）。次に、ＭＯＰＰは閾値と比較される（ステップ１６）。
【００６８】
ＭＯＰＰが閾値よりも大きい場合、注入圧を低下させない（ステップ１８）。
【００６９】
次に、アラームの状態がチェックされる（ステップ２０）。システムアラームが作動していない場合、サイクルは最初に戻る。
【００７０】
システムがアラーム状態にある場合、アラームが停止される（ステップ２２）。アラームタイマーが０より大きい場合、アラームタイマーを減らした後サイクルが再び開始される（ステップ２４）。
【００７１】
ＭＯＰＰが閾値よりも小さい場合、システムはアラーム状態になり（ステップ２６）、アラームタイマーが増やされる（ステップ２８）。
【００７２】
次に、アラームタイマーがタイマー閾値と比較される（ステップ３０）。
【００７３】
アラームタイマーが閾値よりも大きい場合、システムはアラームを作動させ（ステップ３２）、それ以外の場合、サイクルの最初に戻る。
【００７４】
アラームが作動している場合、結果的に生じる注入圧の調整（ステップ３６）は、医療用電気機器のユーザインタフェースを介して実行される外科医の承認によって行われてもよい（ステップ３４）。
【００７５】
図５は、正しい平均眼灌流圧（ＭＯＰＰ）に対する理想的な眼圧を維持し、圧力調整を可能にするために、外科医に対して注入圧を示すのに適切なユーザインタフェースの例を示す。
【００７６】
注入圧を設定するためのボタンが、参照符号４０で示される。現在の注入圧値のインジケータは、参照符号４１で示される。インジケータ４１の周りの領域４２は、例えば緑色で着色され、最適なＭＯＰＰを引き起こす注入圧の範囲を示す。領域４４は、例えば赤色で着色され、明らかに不十分なＭＯＰＰを生成する注入圧の領域を示す。領域４６は、例えば黄色で着色され、警告領域であるが、差し迫った危険性のない領域を示す。
【００７７】
当業者は、二次的な要求を満たすために、以下の特許請求の範囲から逸脱することなく、本発明による注入圧制御システムおよび方法の実施の形態に対して、他の機能的に同等な要素に、いくつかの変更、調整、適用および置換を行うことができる。可能な実施の形態に属すると説明された特徴のそれぞれは、説明された他の実施の形態とは独立して取得することができる。
【図１】
2020527443.tif 000003
【図２】
2020527443.tif 000004
【図３】
2020527443.tif 000005
【図４】
2020527443.tif 000006
【図５】
2020527443.tif 000007
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
眼科手術用注入圧制御システムであって、
眼圧検出手段と、
動脈圧検出手段と、
前記眼圧検出手段と前記動脈圧検出手段と動作可能に接続され、前記眼圧検出手段と前記動脈圧検出手段とにより提供される眼圧と動脈圧とに基づいて平均眼灌流圧値を計算し、計算された前記平均眼灌流圧値と少なくとも１つの所定の閾値とを比較するよう構成される制御ユニットと、
を備え、
前記制御ユニットは、アラームに動作可能にリンクされるタイマーを含み、前記タイマーは、計算された前記平均眼灌流圧の値と少なくとも１つの所定の閾値との比較に基づいて増加可能および減少可能であり、前記アラームは、前記タイマーが所定のタイマー閾値を超えた場合に作動し、
前記制御ユニットは、オペレータからの承諾命令を受信するのに適するユーザインタフェースを含み、または動作可能に接続され、前記承諾命令は、注入圧調整を可能にするのに適する、
システム。
【請求項２】
前記制御ユニットは、計算された前記平均眼灌流圧値が前記所定の閾値を下回る場合に、アラーム信号を生成するよう構成される、
請求項１に記載のシステム。
【請求項３】
注入圧で注入液を投与するのに適する注入ラインを少なくとも用いて患者に接続されるよう適合される医療用電気機器を含み、前記医療用電気機器は、前記注入圧を調整可能に適合される、
請求項１または２に記載のシステム。
【請求項４】
前記眼圧検出手段は、眼圧センサを含む、
請求項１ないし３のいずれか１項に記載のシステム。
【請求項５】
前記眼圧検出手段は、注入液の圧力値、および任意に注入液の流量に基づいて眼圧値を計算するのに適する、
請求項１ないし４のいずれか１項に記載のシステム。
【請求項６】
前記医療用電気機器は、水晶体乳化装置、または水晶体硝子体切除装置である、
請求項３ないし５のいずれか１項に記載のシステム。
【請求項７】
前記注入ラインは、重力注入システム、または注入液を含む容器を加圧することによる強制注入システムを含む、
請求項３ないし６のいずれか１項に記載のシステム。
【請求項８】
前記動脈圧検出手段は、患者に接続されるのに適する圧力計を含む、
請求項１ないし７のいずれか１項に記載のシステム。
【請求項９】
前記動脈圧検出手段は、無線通信システムを介して前記制御ユニットに接続されている、
請求項１ないし８のいずれか１項に記載のシステム。
【請求項１０】
前記制御ユニットは、計算された前記平均眼灌流圧の値が前記所定の閾値を下回る場合に、前記注入圧を低下させるよう前記注入ラインを操作するよう構成される、
請求項３ないし９のいずれか１項に記載のシステム。
【請求項１１】
前記医療用電気機器は、前記注入圧の手動調整が可能な操作インタフェースとともに提供される、
請求項３ないし９のいずれか１項に記載のシステム。
【請求項１２】
前記平均眼灌流圧値は、継続的に、または所定の時間間隔で計算される、
請求項１ないし１１のいずれか１項に記載のシステム。
【請求項１３】
前記平均眼灌流圧（ＭＯＰＰ）値は、
ＭＯＰＰ＝１１５／１３０ＭＡＰ−ＩＯＰの式を用いて、
または、ＭＯＰＰ＝２／３ＭＡＰ−ＩＯＰの式を用いて、計算され、
ＭＡＰは例えば、ＭＡＰ＝１／３ＳＢＰ＋２／３ＤＢＰの式に従って計算される平均動脈圧を示し、
ＩＯＰは、眼圧を意味する、
請求項１ないし１２のいずれか１項に記載のシステム。
【請求項１４】
前記制御ユニットは、計算された前記平均眼灌流圧の平均圧力値が前記所定の閾値を下回る場合に、アラームメッセージまたは音響信号を生成することが可能なインジケータを表示するのに適するグラフィックインタフェースを含む、または、動作可能にリンクされる、
請求項１ないし１３のいずれか１項に記載のシステム。
【請求項１５】
前記注入圧が、前記注入液を含む容器の高さを変えることにより調整可能である、
請求項３ないし１４のいずれか１項に記載のシステム。
【請求項１６】
前記注入圧が、前記注入液の上流で使用中の制御された過圧を変えることにより調整可能である、
請求項３ないし１４のいずれか１項に記載のシステム。
【国際調査報告】
2020527443.tif 000008
2020527443.tif 000009